(57)【要約】    【課題】  ディスプレイを使用しないときにディスプレイの占める空間を小さくすることができる、ディスプレイを提供する。    【解決手段】  附加モジュール３００は、ヒンジを軸として附加モジュール３００がディスプレイ本体２００の前面に重なる位置としての第一位置と、附加モジュール３００とディスプレイ本体２００とが略平面上に並ぶ位置としての第二位置との間を回転可能に構成され、附加モジュール３００はモジュール本体３２０と、モジュール本体３２０に設けられた第一電子装置と第二電子装置とを備え、附加モジュール３００が第一位置にあるときに第一電子装置がディスプレイ本体２００の前面側を向き、附加モジュール３００が第二位置にあるときに第二電子装置がディスプレイ本体２００の前面側を向くように構成した。【選択図】    図３
0003109614.tif 000002
【実用新案登録請求の範囲】
【請求項１】
ディスプレイ本体と、このディスプレイ本体にヒンジで接続された附加モジュールとを備え、前記附加モジュールは、前記ヒンジを軸として前記附加モジュールが前記ディスプレイ本体の前面に重なる位置としての第一位置と、前記附加モジュールと前記ディスプレイ本体とが略平面上に並ぶ位置としての第二位置との間を回転可能に構成され、前記附加モジュールはモジュール本体と、このモジュール本体に設けられた第一電子装置と第二電子装置とを備え、前記附加モジュールが前記第一位置にあるときに前記第一電子装置が前記ディスプレイ本体の前面側を向き、前記附加モジュールが前記第二位置にあるときに前記第二電子装置が前記ディスプレイ本体の前面側を向くように構成したことを特徴とするディスプレイ。
【請求項２】
前記モジュール本体は第一面と第二面とを有し、前記第一面には前記第一電子装置が設置され、前記第二面には前記第二電子装置が設置されたことを特徴とする請求項１に記載のディスプレイ。
【請求項３】
前記附加モジュールが前記第一位置にあるときに前記モジュール本体が前記ディスプレイ本体の前面に重なり、前記第一面が前記ディスプレイ本体の前面側を向くように構成したことを特徴とする請求項１又は２に記載のディスプレイ。
【請求項４】
前記附加モジュールが前記第二位置にあるときに前記モジュール本体が前記ディスプレイ本体と略平面上に並び、前記第二面が前記ディスプレイ本体の前面側を向くように構成したことを特徴とする請求項１〜３のいずれか１項に記載のディスプレイ。
【請求項５】
前記第一面と前記第二面は、前記モジュール本体の正反対の両面に位置することを特徴とする請求項２〜４のいずれか１項に記載のディスプレイ。
【請求項６】
前記第一電子装置は、装置本体と、この装置本体に接合して前記装置本体を前記モジュール本体に固定する固定構造とを備えたことを特徴とする請求項１〜５のいずれか１項に記載のディスプレイ。
【請求項７】
前記固定構造は台座と第一弾性部材とを備え、前記第一弾性部材は、前記装置本体と前記台座との間に設置されて前記装置本体を前記台座に接合することを特徴とする請求項６に記載のディスプレイ。
【請求項８】
前記第一弾性部材はゴムからなり、弾性によって前記装置本体を前記台座に固定することを特徴とする請求項７に記載のディスプレイ。
【請求項９】
前記台座は複数の固定歯を有し、前記モジュール本体は複数の切り目を有し、前記固定歯が前記切り目に嵌め合わされることで前記台座が前記モジュール本体に固定されるように構成したことを特徴とする請求項７又は８に記載のディスプレイ。
【請求項１０】
前記台座は凸部を有し、前記モジュール本体は凹部を有し、前記台座が前記モジュール本体に固定されたときに前記凸部が前記凹部に嵌め合うように構成したことを特徴とする請求項７〜９のいずれか１項に記載のディスプレイ。
【請求項１１】
前記固定構造は前記台座と前記モジュール本体の間に設置される第二弾性部材を備えたことを特徴とする請求項７〜１０のいずれか１項に記載のディスプレイ。
【考案の詳細な説明】
【技術分野】
【０００１】
本考案は、ディスプレイに関し、特に、附加電子装置を有するディスプレイに関するものである。
【背景技術】
【０００２】
図１に示すような従来の市販のスピーカー付きのディスプレイ１００は、ディスプレイ本体１０とスピーカー２０を有し、スピーカー２０は、ディスプレイ本体１０の両側に取り付けられており、スピーカー２０が比較的大きい体積を有することから、ディスプレイ１００を使用しないときであってもディスプレイ１００が比較的大きい空間を占めることとなり、邪魔になることがあった。
【考案の開示】
【考案が解決しようとする課題】
【０００３】
本考案は、ディスプレイを使用しないときにディスプレイの占める空間を小さくすることができる、ディスプレイを提供することを目的とする。
【課題を解決するための手段】
【０００４】
本考案のディスプレイは、ディスプレイ本体と、このディスプレイ本体にヒンジで接続された附加モジュールとを備え、前記附加モジュールは、前記ヒンジを軸として前記附加モジュールが前記ディスプレイ本体の前面に重なる位置としての第一位置と、前記附加モジュールと前記ディスプレイ本体とが略平面上に並ぶ位置としての第二位置との間を回転可能に構成され、前記附加モジュールはモジュール本体と、このモジュール本体に設けられた第一電子装置と第二電子装置とを備え、前記附加モジュールが前記第一位置にあるときに前記第一電子装置が前記ディスプレイ本体の前面側を向き、前記附加モジュールが前記第二位置にあるときに前記第二電子装置が前記ディスプレイ本体の前面側を向くように構成したことを特徴とする。
【０００５】
また、前記モジュール本体は第一面と第二面とを有し、前記第一面には前記第一電子装置が設置され、前記第二面には前記第二電子装置が設置されたことを特徴とする。
【０００６】
また、前記附加モジュールが前記第一位置にあるときに前記モジュール本体が前記ディスプレイ本体の前面に重なり、前記第一面が前記ディスプレイ本体の前面側を向くように構成したことを特徴とする。
【０００７】
また、前記附加モジュールが前記第二位置にあるときに前記モジュール本体が前記ディスプレイ本体と略平面上に並び、前記第二面が前記ディスプレイ本体の前面側を向くように構成したことを特徴とする。
【０００８】
また、前記第一面と前記第二面は、前記モジュール本体の正反対の両面に位置することを特徴とする。
【０００９】
また、前記第一電子装置は、装置本体と、この装置本体に接合して前記装置本体を前記モジュール本体に固定する固定構造とを備えたことを特徴とする。
【００１０】
また、前記固定構造は台座と第一弾性部材とを備え、前記第一弾性部材は、前記装置本体と前記台座との間に設置されて前記装置本体を前記台座に接合することを特徴とする。
【００１１】
また、前記第一弾性部材はゴムからなり、弾性によって前記装置本体を前記台座に固定することを特徴とする。
【００１２】
また、前記台座は複数の固定歯を有し、前記モジュール本体は複数の切り目を有し、前記固定歯が前記切り目に嵌め合わされることで前記台座が前記モジュール本体に固定されるように構成したことを特徴とする。
【００１３】
また、前記台座は凸部を有し、前記モジュール本体は凹部を有し、前記台座が前記モジュール本体に固定されたときに前記凸部が前記凹部に嵌め合うように構成したことを特徴とする。
【００１４】
さらに、前記固定構造は前記台座と前記モジュール本体の間に設置される第二弾性部材を備えたことを特徴とする。
【考案の効果】
【００１５】
本考案のディスプレイによれば、ディスプレイを使用しないときに、空間の節約のために附加モジュールを折り畳んで収めることができ、ディスプレイの占める空間を小さくすることができる。また、附加モジュールとして種々の電子装置を附設することで、様々な使用状態で広く使用することができるディスプレイを提供することができる。
【考案を実施するための最良の形態】
【００１６】
本考案についての目的、特徴、長所が一層明確に理解されるよう、以下に実施形態を例示し、図面を参照しながら、詳細に説明する。
【実施例】
【００１７】
図２、３は、本考案のディスプレイの斜視図である。ディスプレイ１０００は、ディスプレイ本体２００と二つの附加モジュール３００を備え、これら二つの附加モジュール３００は、それぞれディスプレイ本体２００の左右両側にヒンジで接続され、このヒンジを軸として第一位置と第二位置の間で回転することができるように構成されている。図２は、附加モジュール３００がディスプレイ本体２００の前面に重なる位置としての第一位置に位置する附加モジュール３００を示し、図３は、附加モジュール３００とディスプレイ本体２００が略平面上に並ぶ位置としての第二位置に位置する附加モジュール３００を示している。
【００１８】
附加モジュール３００は、モジュール本体３２０、第一電子装置３４０と第二電子装置３６０を備えている。モジュール本体３２０は、扁平状であって、第一面３２２と第二面３２４を有し、これら第一面３２２と第二面３２４は、それぞれモジュール本体３２０の前面と背面に位置している。第一電子装置３４０は、第一面３２２に設置され、第二電子装置３６０は、第二面３２４に設置されている。本実施例では、第一電子装置３４０は、時計であり、第二電子装置３６０は、スピーカーである。したがって、附加モジュール３００が第一位置（図２）に回転したとき第一電子装置３４０としての時計がディスプレイ本体２００の前面側を向き、附加モジュール３００が第二位置（図３）に回転したとき第二電子装置３６０としてのスピーカーがディスプレイ本体２００の前面側を向くように構成されている。つまり、ディスプレイ１０００に画面を表示させないときには附加モジュール３００をディスプレイ本体２００側の第一位置に畳んで収めて時計を用いるようになっている。また、ディスプレイ１０００に画面を表示させるときには附加モジュール３００を開けた第二位置においてスピーカーを用いるようになっている。
【００１９】
図４は、モジュール本体３２０に実装した第一電子装置３４０の分解斜視図である。第一電子装置３４０は、装置本体３４２、第一弾性部材３４４と台座３４６を備えている。第一弾性部材３４４は、ゴムから細長い形状に形成されており、装置本体３４２を台座３４６に設置するときに、装置本体３４２と台座３４６の間に挟み込まれて設置され、ゴムの弾性によって、装置本体３４２を確実に台座３４６に合わせた形で固定するようになっている。また、装置本体３４２の台座３４６への固定の確実性を増すためのボルト３４５が台座３４６に設けられており、このボルト３４５を締めつけたときにボルト３４５が装置本体３４２に当接し、装置本体３４２を更に確実に台座３４６に固定するようになっている。
【００２０】
図５は、モジュール本体３２０に実装する台座３４６を示す分解斜視図である。図７は、台座３４６を底面から見た時の斜視図である。台座３４６の底部には複数の固定歯３４６２と凸部３４６４が設置され、モジュール本体３２０には、複数の切り目３２６と凹部３２８が設置され、切り目３２６と凹部３２８は、固定歯３４６２と凸部３４６４にそれぞれ対応している。そして、台座３４６がモジュール本体３２０に実装されたとき、凸部３４６４は、凹部３２８の中に嵌め合わされ、固定歯３４６２は、切り目３２６の中に嵌め合わされるようになっている。固定歯３４６２はＬ形に形成されており、台座３４６を回転させることによって固定歯３４６２が切り目３２６の側辺に嵌め合わされ、台座３４６がモジュール本体３２０に固定されるようになっている。この他、台座３４６の周囲に第二弾性体３４８を設けてもよい（図６）。第二弾性体３４８を設けることによって、第一弾性体３４４を設けた場合と同様に、台座３４６を確実にモジュール本体３２０に合わせた形で台座３４６とモジュール本体３２０を固定することができる。
【００２１】
以上のように、本実施例のディスプレイによれば、ディスプレイ本体２００と、このディスプレイ本体２００にヒンジで接続された附加モジュール３００とを備え、前記附加モジュール３００は、前記ヒンジを軸として前記附加モジュール３００が前記ディスプレイ本体２００の前面に重なる位置としての第一位置と、前記附加モジュール３００と前記ディスプレイ本体２００とが略平面上に並ぶ位置としての第二位置との間を回転可能に構成され、前記附加モジュール３００はモジュール本体３２０と、このモジュール本体３２０に設けられた第一電子装置３４０と第二電子装置３６０とを備え、前記附加モジュール３００が前記第一位置にあるときに前記第一電子装置３４０が前記ディスプレイ本体２００の前面側を向き、前記附加モジュール３００が前記第二位置にあるときに前記第二電子装置３６０が前記ディスプレイ本体２００の前面側を向くように構成したものである。
【００２２】
また、前記モジュール本体３２０は第一面３２２と第二面３２４とを有し、前記第一面３２２には前記第一電子装置３４０が設置され、前記第二面３２４には前記第二電子装置３６０が設置されたものである。
【００２３】
また、前記附加モジュール３００が前記第一位置にあるときに前記モジュール本体３２０が前記ディスプレイ本体２００の前面に重なり、前記第一面３２２が前記ディスプレイ本体２００の前面側を向くように構成したものである。
【００２４】
また、前記附加モジュール３００が前記第二位置にあるときに前記モジュール本体３２０が前記ディスプレイ本体２００と略平面上に並び、前記第二面３２４が前記ディスプレイ本体２００の前面側を向くように構成したものである。
【００２５】
また、前記第一面３２２と前記第二面３２４は、前記モジュール本体３２０の正反対の両面に位置するものである。
【００２６】
また、前記第一電子装置３４０は、装置本体３４２と、この装置本体３４２に接合して前記装置本体３４２を前記モジュール本体３２０に固定する固定構造とを備えたものである。
【００２７】
また、前記固定構造は台座３４６と第一弾性部材３４４とを備え、前記第一弾性部材３４４は、前記装置本体３４２と前記台座３４６との間に設置されて前記装置本体３４２を前記台座３４６に接合するものである。
【００２８】
また、前記第一弾性部材３４４はゴムからなり、弾性によって前記装置本体３４２を前記台座３４６に固定するものである。
【００２９】
また、前記台座３４６は複数の固定歯３４６２を有し、前記モジュール本体３２０は複数の切り目３２６を有し、前記固定歯３４６２が前記切り目３２６に嵌め合わされることで前記台座３４６が前記モジュール本体３２０に固定されるように構成したものである。
【００３０】
また、前記台座３４６は凸部３４６４を有し、前記モジュール本体３２０は凹部３２８を有し、前記台座３４６が前記モジュール本体３２０に固定されたときに前記凸部３４６４が前記凹部３２８に嵌め合うように構成したものである。
【００３１】
また、前記固定構造は前記台座３４６と前記モジュール本体３２０の間に設置される第二弾性部材３４８を備えたものである。
【００３２】
以上の構成によれば、ディスプレイを使用しないときに、空間の節約のために附加モジュール３００を折り畳んで収めることができ、ディスプレイの占める空間を小さくすることができる。また、附加モジュール３００として、第一電子装置３４０としての時計や第二電子装置３６０としてのスピーカーなど、種々の電子装置を附設することで、様々な使用状態で広く使用することができるディスプレイを提供することができる。
【００３３】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００３４】
【図１】従来のディスプレイの概略図である。
【図２】本考案のディスプレイの斜視図である（第一位置の附加モジュール）。
【図３】本考案のディスプレイのもう一つの斜視図である（第二位置の附加モジュール）。
【図４】本考案のディスプレイにおける附加モジュールの分解斜視図である。
【図５】本考案のディスプレイにおけるモジュール本体と台座の斜視図である。
【図６】本考案のディスプレイにおけるモジュール本体と台座の斜視図である（第二弾性部材を追加）。
【図７】本考案のディスプレイにおける台座の斜視図である。
【符号の説明】
【００３５】
１００  ディスプレイ
２００  ディスプレイ本体
３００  附加モジュール
３２０  モジュール本体
３２２  第一面
３２４  第二面
３２６  切り目
３２８  凹部
３４０  第一電子装置
３４２  装置本体
３４４  第一弾性部材
３４５  ボルト
３４６  台座
３４８  第二弾性部材
３６０  第二電子装置
１０００  ディスプレイ
３４６２  固定歯
３４６４  凸部
【図１】
0003109614.tif 000003
【図２】
0003109614.tif 000004
【図３】
0003109614.tif 000005
【図４】
0003109614.tif 000006
【図５】
0003109614.tif 000007
【図６】
0003109614.tif 000008
【図７】
0003109614.tif 000009